(57)【要約】【課題】シート搬送経路中に配置された複数の搬送ローラを複数の駆動源で回転させることで汎用性を向上させたものでありながら、シート搬送経路中に発生したジャム解除操作の容易性を向上させることができるシート搬送装置、自動原稿送り装置及び画像形成装置を提供する。【解決手段】シート搬送経路中に配置された複数の搬送ローラ２３，２６，２７と、複数の搬送ローラ２３，２６，２７を回転させる複数の駆動源と、複数の駆動源とは別に手動で回転する一つの操作ダイヤル５１と、一つの操作ダイヤル５１の回転操作によって複数の搬送ローラ２３，２６，２７を回転させる手動伝達機構部とを備えている。【選択図】      図８
2008137747.tif 000002
【特許請求の範囲】
【請求項１】
シート搬送経路中に配置された複数の搬送ローラと、該複数の搬送ローラを回転させる複数の駆動源と、該複数の駆動源とは別に手動で回転する一つの操作ダイヤルと、該一つの操作ダイヤルの回転操作に連動して前記複数の搬送ローラを回転させる手動伝達機構部とを備えていることを特徴とするシート搬送装置。
【請求項２】
シート搬送経路中に配置された複数の搬送ローラと、該複数の搬送ローラのうちの第１の搬送ローラを正転させる正転用駆動源と、該複数の搬送ローラのうちの第２の搬送ローラを正逆転させる正逆転用駆動源と、前記各駆動源とは別に手動で回転する一つの操作ダイヤルと、該一つの操作ダイヤルの回転操作に連動して前記複数の搬送ローラを回転させる手動伝達機構部と、該手動伝達機構部に連繋されて前記正転用駆動源の駆動並びに前記一つの操作ダイヤルの回転操作による前記第１の搬送ローラの正転を許容し且つ前記一つの操作ダイヤルの回転操作による前記第１の搬送ローラの逆転を拒否するワンウェイ機構部と、を備えていることを特徴とするシート搬送装置。
【請求項３】
シート搬送経路中に配置された第１乃至第３の搬送ローラと、該第１の搬送ローラを正転させる正転用駆動源と、前記第２の搬送ローラを正逆転させる正逆転用駆動源と、前記各駆動源の一方の動力を前記第１又は第２の搬送ローラの駆動を経由して前記第３の搬送ローラに伝達する電動伝達機構部と、前記各駆動源とは別に手動で回転する一つの操作ダイヤルと、該一つの操作ダイヤルの回転操作によって前記第１乃至第３の搬送ローラを前記電動伝達機構部の少なくとも一部を利用して回転させる手動伝達機構部と、該手動伝達機構部に連繋されて前記正転用駆動源の駆動並びに前記一つの操作ダイヤルの回転操作による前記第１の搬送ローラの正転を許容し且つ前記一つの操作ダイヤルの回転操作による前記第１の搬送ローラの逆転を拒否するワンウェイ機構部と、を備えていることを特徴とするシート搬送装置。
【請求項４】
前記ワンウェイ機構部は、前記正転用駆動源及び前記正逆転用駆動源が駆動している際には、それぞれ独立して前記第１の搬送ローラ及び前記第２の搬送ローラが回転するように回転数制御されることを特徴とする請求項２又は請求項３に記載のシート搬送装置。
【請求項５】
請求項１乃至請求項４に記載のシート搬送装置を備えていることを特徴とする画像形成装置。
【発明の詳細な説明】
【技術分野】
【０００１】
本発明は、シート搬送経路中に設けられた複数の搬送ローラを回転駆動させることにより搬送シートを搬送するシート搬送装置及び画像形成装置に関する。
【背景技術】
【０００２】
従来、プリンタ・複写機・ファクシミリ等及びこれらを機能的に備えた複合機といった画像形成装置には、画像形成装置本体内或いは画像形成装置本体に装着される自動原稿送り装置（以下、「ＡＤＦ」と称する。）内において、転写紙や原稿等の搬送シートを、シート搬送経路中に設けられた複数の搬送ローラを回転駆動させることによって搬送させるものが周知である。
【０００３】
この際、正転モータや正逆転モータ等の駆動源を搬送ローラとしての駆動ローラの近傍に配置すると共に、その駆動源の小型化や低電流化を考慮しつつベルトやギヤによる動力伝達ロスを低減させたうえで複数の搬送ローラを回転させてシート搬送経路全体に跨る搬送シートの搬送を可能とすることが好ましい。
【０００４】
一方、シート搬送経路中に搬送シートが引っ掛かるといったジャム発生時には、そのシート搬送経路中に滞留している搬送シート（以下、「ジャムシート」と称する）を手動で取り除くジャム解除操作を行う必要がある。
【０００５】
例えば、画像形成装置本体を構成する本体枠体とは独立して設けた給紙部枠体に給紙部と搬送シート搬送経路とを設け、ジャム発生時には本体枠体から給紙部枠体を引き出ことにより、給紙部に滞留しているジャムシートを集中的に取り除いている（例えば、特許文献１参照）。
【０００６】
また、搬送ローラをシート搬送方向に沿って複数隣接して配置すると共に、その複数の搬送ローラを回転駆動させる駆動源をシート搬送経路中の複数箇所に配置した場合、搬送ローラの回転トルクに見合った駆動源の選定や電流値の設定が可能となると共に、複数の搬送ローラを回転させるための伝達機構部に使用する部品の選定や配置の自由度が向上するといった汎用性を向上することができる（例えば、特許文献２参照）。
【０００７】
このような、駆動源をシート搬送経路中の複数箇所に配置した場合、各駆動源毎にシート搬送経路中に配置された複数の搬送ローラに対する伝達機構部が独立して構成されているため、シート搬送経路中のジャム発生時には、各駆動源毎に独立した伝達機構部に対してそれぞれ設けられた操作ダイヤルを手動操作してシート搬送経路中に滞留するジャムシートを送り出すことで取り除くことができる。
【特許文献１】特開平６−２３４４３６号公報
【特許文献２】特開平４−０２０４４２号公報
【発明の開示】
【発明が解決しようとする課題】
【０００８】
ところが、上記の如く構成されたシート搬送装置にあっては、複数の駆動源を用いて複数の搬送ローラに対して独立した伝達機構部を配置した場合、シート搬送経路中のジャム発生時には、各駆動源毎に独立した伝達機構部に対してそれぞれ設けられた操作ダイヤルを操作しないとジャムシートを取り除くことができず、複数の操作ダイヤルの操作が面倒であるといった問題が生じていた。
【０００９】
また、シート搬送経路に対するジャムシートの滞留位置によって、例えば、シート搬送経路の上流側から順にジャムシートを下流側へと押し出す方向に操作ダイヤルを操作しないとならないといったように、複数の操作ダイヤルの操作順序や回転方向が規定されてしまい、その複数の操作ダイヤルの操作順序や回転方向を誤ってしまうとジャムシートの滞留位置が判らなくなってしまうといった不具合が発生していた。
【００１０】
そこで、本発明は、上記事情を考慮し、シート搬送経路中に配置された複数の搬送ローラを複数の駆動源で回転させることで汎用性を向上させたものでありながら、シート搬送経路中に発生したジャム解除操作の容易性を向上させることができるシート搬送装置、自動原稿送り装置及び画像形成装置を提供することを目的とする。
【課題を解決するための手段】
【００１１】
本発明のシート搬送装置は、シート搬送経路中に配置された複数の搬送ローラと、該複数の搬送ローラを回転させる複数の駆動源と、該複数の駆動源とは別に手動で回転する一つの操作ダイヤルと、該一つの操作ダイヤルの回転操作に連動して前記複数の搬送ローラを回転させる手動伝達機構部とを備えていることを特徴とする。
【００１２】
また、本発明のシート搬送装置は、シート搬送経路中に配置された複数の搬送ローラと、該複数の搬送ローラのうちの第１の搬送ローラを正転させる正転用駆動源と、該複数の搬送ローラのうちの第２の搬送ローラを正逆転させる正逆転用駆動源と、前記各駆動源とは別に手動で回転する一つの操作ダイヤルと、該一つの操作ダイヤルの回転操作に連動して前記複数の搬送ローラを回転させる手動伝達機構部と、該手動伝達機構部に連繋されて前記正転用駆動源の駆動並びに前記一つの操作ダイヤルの回転操作による前記第１の搬送ローラの正転を許容し且つ前記一つの操作ダイヤルの回転操作による前記第１の搬送ローラの逆転を拒否するワンウェイ機構部と、を備えていることを特徴とする。
【００１３】
さらに、本発明のシート搬送装置は、シート搬送経路中に配置された第１乃至第３の搬送ローラと、該第１の搬送ローラを正転させる正転用駆動源と、前記第２の搬送ローラを正逆転させる正逆転用駆動源と、前記各駆動源の一方の動力を前記第１又は第２の搬送ローラの駆動を経由して前記第３の搬送ローラに伝達する電動伝達機構部と、前記各駆動源とは別に手動で回転する一つの操作ダイヤルと、該一つの操作ダイヤルの回転操作によって前記第１乃至第３の搬送ローラを回転させる手動伝達機構部と、該手動伝達機構部に連繋されて前記正転用駆動源の駆動並びに前記一つの操作ダイヤルの回転操作による前記第１の搬送ローラの正転を許容し且つ前記一つの操作ダイヤルの回転操作による前記第１の搬送ローラの逆転を拒否するワンウェイ機構部と、を備えていることを特徴とする。
【００１４】
この際、ワンウェイ機構部は、前記正転用駆動源及び前記正逆転用駆動源が駆動している際には、それぞれ独立して前記第１の搬送ローラ及び前記第２の搬送ローラが回転するように回転数制御されることが好ましい。
【００１５】
さらに、本発明は上記した何れかの構成からなるシート搬送装置を採用した画像形成装置とすることができる。
【発明の効果】
【００１６】
本発明のシート搬送装置は、シート搬送経路中に配置された複数の搬送ローラを複数の駆動源で回転させることで汎用性を向上させたものでありながら、シート搬送経路中に発生したジャム解除操作の容易性を向上させることができる。
【発明を実施するための最良の形態】
【００１７】
次に、本発明の一実施形態に係るシート搬送装置を画像形成装置本体に搭載した自動原稿送り装置に適用し、図面を参照して説明する。
【００１８】
図１は本発明の一実施形態に係るシート搬送装置を備えた自動原稿送り装置を搭載した画像形成装置の斜視図、図２は本発明の一実施形態に係るシート搬送装置における搬送部の内部構造を示す正面側からの斜視図、図３は本発明の一実施形態に係るシート搬送装置における搬送部の内部構造を示す背面側からの斜視図、図４は本発明の一実施形態に係るシート搬送装置における搬送ローラ配置例の説明図、図５は本発明の一実施形態に係るシート搬送装置における搬送部の搬送駆動系の平面図、図６は本発明の一実施形態に係るシート搬送装置における搬送部の背面図、図７は本発明の一実施形態に係るシート搬送装置の搬送駆動系の説明図、図８は本発明の一実施形態に係るシート搬送装置の手動搬送系の説明図である。
【００１９】
（複合機の全体構成）
図１に示すように、本発明の一実施形態に係るシート搬送装置を搭載した画像形成装置としての複合機１は、複合機本体２の前面から引き出し可能な複数段の用紙トレイユニット３，４，５，６と、複合機本体２の一方の側面から開閉可能な手差し用紙トレイ７と、複合機本体２の他方の側面から突出した排紙トレイ８と、複写機・ファクシミリ・スキャナとして原稿を読み取る際の自動原稿送り装置（ＡＤＦ）９と、表示画面１０を有すると共に各種機能等の設定・選択操作を行う操作部１１とを備えている。
【００２０】
排紙トレイ８は、ここでは上下左右に変位可能とすることにより、搬送シート（複写稿）を集積する際、その集積量に応じて上下方向に変位し、ソート機能等を用いた場合に集積した搬送シートの仕分けが可能となるように左右に変位する。尚、この排紙トレイ８の変位は公知である。また、排紙トレイ８には、集積した搬送シートの有無を検出する公知のセンサ等が設けられている。
【００２１】
ＡＤＦ９は、読み取り用の原稿がセットされる原稿給紙トレイ１２と、この原稿給紙トレイ１２にセットされた原稿を取り出し搬送する搬送部１３と、読み取り後の原稿が排紙・積載される原稿排紙トレイ１４とを備えている。
【００２２】
（搬送部１３の構成＜給紙系＞）
搬送部１３は、図２乃至図４に示すように、原稿給紙トレイ１２（図１にのみ図示）を装着する装着部１５ａを形成した給紙ガイド部１５と、給紙ガイド部１５の上方に配置されて原稿給紙トレイ１２から給紙ガイド部１５に跨ってセットされた搬送シートとしての原稿Ｇ（図４にのみ図示）のうち最上位に位置するものを送り出すピックアップローラ１６と、ピックアップローラ１６よりもシート搬送方向下流側に配置された給紙ローラ１７と、給紙ガイド部１５の表面に露出して給紙ローラ１７と協働して原稿Ｇの最上位に位置するもののみをシート搬送方向下流側に送り出すための分離パッド１８とを備えている。
【００２３】
ピックアップローラ１６は、原稿Ｇのシート搬送方向と直交するシート幅方向中央付近に配置されている。また、ピックアップローラ１６は、原稿Ｇの束厚に対応するよう図示を略するリンク機構等を介して昇降可能とされている。尚、ピックアップローラ１６は、シート幅方向に沿って複数配置しても良い。
【００２４】
給紙ローラ１７は、図示を略す給紙モータからの駆動が伝達される出力軸１９に設けられており、この出力軸１９の回転に伴って給紙方向（図４の図示時計回り方向）に回転する。また、出力軸１９には給紙駆動プーリ２０が設けられており、ピックアップローラ１６の回転中心と同軸上に設けられた給紙従動プーリ２１とに跨って張設された伝達ベルト２２の回動移動によってピックアップローラ１６が同期して給紙方向に回転する。
【００２５】
（搬送部１３の構成＜搬送駆動系＞）
また、搬送部１３は、給紙ローラ１７よりもシート搬送方向下流側に配置された搬送ローラ２３と、搬送ローラ２３の表面に当接して原稿Ｇを搬送ローラ２３の周囲に沿って搬送する複数の従動ローラ２４と、搬送ローラ２３の周囲搬送中に複合機本体２内に設けられた読取部２５で読み取った後の原稿Ｇを原稿排紙トレイ１４（図１に図示）に向けて排出する排出ローラ対２６と、原稿Ｇが両面原稿である場合に裏面側を読取部２５で読み取るために再び搬送ローラ２３へと搬送するスイッチバックローラ対２７とを備えている。この排出ローラ対２６とスイッチバックローラ対２７とは、それぞれ駆動側ローラ２８，２９と従動側ローラ３０，３１とを備えている。
【００２６】
尚、上述した搬送ローラ２３、排出ローラ対２６（駆動側ローラ２８と従動側ローラ３０）、スイッチバックローラ対２７（駆動側ローラ２９と従動側ローラ３１）は、それぞれ本発明の搬送ローラとして機能し、この実施の形態においては、搬送ローラ２３は第１の搬送ローラ、排出ローラ対２６は第３の搬送ローラ、スイッチバックローラ対２７は第２の搬送ローラとして機能している。
【００２７】
また、排出ローラ対２６とスイッチバックローラ対２７との間には、原稿給紙トレイ１２と原稿排出トレイ１４とは別に、スイッチバックローラ対２７でスイッチバックされる原稿Ｇを一時的に支持するスイッチバックトレイ（図示せず）を配置しても良い。
【００２８】
搬送ローラ２３は、図５に示すように、搬送モータ３２に設けられた出力ギヤ３３からの駆動が搬送ローラ２３の回転中心と同軸に設けられた従動ギヤ３４に動力伝達されることで回転する。この際、搬送ローラ２３は常時同一方向（シート搬送方向）に回転すれば良いため、搬送モータ３２は正転モータ（正転用駆動源）で良い。また、搬送ローラ２３と同軸上には、図６及び図７に示すように、従動ギヤ３４のワンウェイ機構部３５を介して動力伝達される従動プーリ３６が設けられている。
【００２９】
この際、ワンウェイ機構部３５は、搬送ローラ２３と従動プーリ３６の正転方向（シート搬送方向）の回転を許容し、且つ、逆転方向の回転を拒否するように設定されている。また、ワンウェイ機構部３５は、従動プーリ３６の正転方向の回転数が従動ギヤ３４の正転方向の回転数よりも低いときには、従動プーリ３６から駆動力は従動ギヤ３４に伝達されないようにも設定されている。
【００３０】
スイッチバックローラ対２７の駆動側ローラ２９は、スイッチバックモータ３７（図５参照）に設けられた出力ギヤ３８からの駆動を伝達ギヤ３９を介して駆動側ローラ２９の回転中心と同軸に設けられた従動ギヤ４０に動力伝達されることで回転する。この際、駆動側ローラ２９は原稿Ｇのスイッチバックのために正逆転する必要があるため、スイッチバックモータ３７は正逆転モータ（正逆転用駆動源）が用いられている。また、駆動側ローラ２９には、駆動プーリ４１が駆動側ローラ２９の回転中心と同軸上に配置されている。
【００３１】
この駆動プーリ４１と従動プーリ３６との間には、伝達ベルト４２が回動移動可能に架設されている。また、伝達ベルト４２は、その中途部に設けられたテンションプーリ４３によって緊張状態が維持されている。
【００３２】
これにより、駆動プーリ４１が回転した際には、テンションプーリ４４によって緊張状態が維持された伝達ベルト４２の回動移動によって従動プーリ３６が回転し、ワンウェイ機構部３５を介して搬送ローラ２３を回転させることができる。
【００３３】
この際、搬送ローラ２３は、原稿Ｇを読取部２５で読み取らせるために搬送する際には搬送モータ３２の駆動によって回転される必要があるが、スイッチバックモータ３７の駆動による駆動側ローラ２９の回転に連動して駆動プーリ４１が回転しても、ワンウェイ機構部３５によって従動プーリ３６の回転数が従動ギヤ３４の回転数よりも低いときには、従動プーリ３６からの駆動力は従動ギヤ３４に伝達されないように設定されているため、駆動プーリ４１の回転が伝達ベルト４２を介して従動プーリ３６に伝達されても搬送ローラ２３の回転に影響を与えることはない。
【００３４】
従って、搬送モータ３２の駆動による搬送ローラ２３の回転に連動する従動ギヤ３４の回転を高速回転とし、スイッチバックモータ３７の駆動による駆動側ローラ２９の回転に連動する駆動プーリ４１の回転を低速回転とすることにより、搬送ローラ２３の回転と駆動側ローラ２９の回転とは、各モータ３２，３７の駆動力に対する独立回転とすることができる。
【００３５】
尚、搬送モータ３２が駆動停止している状態で駆動プーリ４１が回転した場合、従動プーリ３６の回転数は従動ギヤ３４の回転数よりも高くなるため、ワンウェイ機構部３５の回転方向制御によって搬送ローラ２３の正転方向に対する駆動プーリ４１の回転のみが伝達される。
【００３６】
ところで、上述した各モータ３２，３７の駆動系は、表示画面１０及び操作部１１の配置側を複合機１の正面側とした場合の背面側に設けられている。
【００３７】
一方、従動ギヤ４０及び駆動プーリ４１の回転軸４５には、複合機１の正面側の端部に、異なる大小の駆動側ギヤ４６，４７が設けられている。
【００３８】
この径の小さい駆動側ギヤ４６は、従動側ローラ３１の回転中心と同軸上に設けられた従動側ギヤ４８と噛み合っており、これにより、従動ギヤ４０の駆動が駆動側ローラ２９を介して従動側ローラ３１に伝達される。
【００３９】
また、従動側ギヤ４８は、中間伝達ギヤ４９を介して排出ローラ対２６の駆動側ローラ２８の回転中心と同軸上に設けられた駆動側ギヤ５０に伝達され、これにより排出ローラ対２６の駆動側ローラ２８が回転するように構成されている。尚、この駆動側ギヤ５０は、従動側ローラ３０の回転中心と同軸上に設け、従動側ローラ３０を駆動側としても良い。
【００４０】
（搬送部１３の構成＜手動搬送系＞）
複合機１の正面寄りの給紙ガイド部１５には、ブラケット部１５ｂが立ち上げられている。このブラケット部１５ｂには、複合機１のカバー４３（図１参照）等を開放した際に手動回転操作可能な操作ダイヤル５１が回転可能に設けられている。
【００４１】
この操作ダイヤル５１の回転中心と同軸上には手動駆動ギヤ５２が設けられている。また、この手動駆動ギヤ５２は、手動従動ギヤ５３，５４を介して径の大きい駆動側ギヤ４７と噛み合っている。
【００４２】
これにより、操作ダイヤル５１を手動により正逆転させると、手動駆動ギヤ５２、手動従動ギヤ５３，５４を介してスイッチバックローラ対２７が正逆転すると同時に排出ローラ対２６が正逆転する。また、スイッチバックローラ対２７が正逆転すると、複合機１の背面側にて、駆動プーリ４１，伝達ベルト４２，従動プーリ３６を介してワンウェイ機構３５に伝達され、このワンウェイ機構３５の回転方向制御により、操作ダイヤル５１の正転方向の手動回転のみが搬送ローラ２３に伝達される。
【００４３】
上記の構成において、原稿給紙トレイ１２にセットされた原稿Ｇは、図示を略する給紙モータの駆動を受けてピックアップローラ１６と給紙ローラ１７とが回転することによって、その最上位に位置するものがシート搬送方向下流側、即ち、搬送ローラ２３に向けて送り出される。
【００４４】
搬送ローラ２３は、搬送モータ３２の駆動が出力ギヤ３３，従動ギヤ３４，ワンウェイ機構３５を介して伝達され、正転方向に回転することによって従動ローラ２４との協働により原稿Ｇを搬送ローラ２３の周囲に沿って搬送し、その搬送過程にて読取部２５で原稿を読み取りつつシート搬送方向下流側に搬送する。
【００４５】
この際、原稿Ｇが片面原稿であった場合、その原稿Ｇは排出ローラ対２６に向けて搬送され、原稿Ｇが両面原稿であった場合、その原稿Ｇはスイッチバックローラ対２７に向けて搬送される。また、原稿Ｇが両面原稿であった場合、その原稿Ｇはスイッチバックローラ対２７でスイッチバックされた後、再び、搬送ローラ２３のシート搬送方向上流側へと搬送されて原稿Ｇの裏面側を読取部２５で読み取り、スイッチバックローラ対２７で再びスイッチバックされた後、排出ローラ対２６を経由して原稿排紙トレイ１４へと排出される。
【００４６】
スイッチバックローラ対２７は、スイッチバックモータ３７の駆動が出力ギヤ３８，伝達ギヤ３９，従動ギヤ４０，回転軸４５を介して伝達され、スイッチバックモータ３７の正逆転方向の回転に連動して回転軸４５が正逆転することによって駆動側ローラ２９が正逆転する。
【００４７】
また、排出ローラ対２６は、回転軸４５の正逆転が駆動側ギヤ４６，従動側ギヤ４８，中間伝達ギヤ４９，駆動側ギヤ５０を介して伝達されることによって、この駆動側ギヤ５０の正逆転に連動して駆動側ローラ２８が正逆転する。
【００４８】
従って、搬送モータ３２及びスイッチバックモータ３７が駆動した際には、出力ギヤ３３，従動ギヤ３４，ワンウェイ機構３５，出力ギヤ３８，伝達ギヤ３９，従動ギヤ４０，回転軸４５，駆動側ギヤ４６，従動側ギヤ４８，中間伝達ギヤ４９，駆動側ギヤ５０を電動伝達機構部として機能させることによって搬送ローラ２３及びスイッチバックローラ対２７と排出ローラ対２６とが回転する。
【００４９】
この際、ワンウェイ機構部３５は、搬送モータ３２の駆動による搬送ローラ２３の正転と、スイッチバックモータ３７の駆動によるスイッチバックローラ対２７（及び排出ローラ対２６）の正逆転とが独立するように回転数制御されている。
【００５０】
具体的には、搬送ローラ２３の正転時のシート搬送速度と排出ローラ対２６の正転時のシート搬送速度とは略同一速度であることが好ましいが、搬送ローラ２３と排出ローラ対２６（の駆動側ローラ２８）との直径差を考慮すると、搬送ローラ２３の回転速度は排出ローラ対２６（の駆動側ローラ２８）の回転速度よりも実質的に速くする必要がある。
【００５１】
そこで、各モータ３２，３７の駆動をそれぞれ独立させて搬送ローラ２３とスイッチバックローラ対２７（及び排出ローラ対２６）とに伝達させるために、ワンウェイ機構部３５は、搬送ローラ２３の逆転方向の動力伝達を拒否するのに加えて、スイッチバックモータ３７から回転軸４５を経由して動力伝達される従動プーリ３６の回転数が搬送モータ３２の駆動に伴って動力伝達される従動ギヤ３４の回転数よりも小さい場合には、従動プーリ３６の回転が従動ギヤ３４に伝達されないように回転数制御設定されている。
【００５２】
一方、ピックアップローラ１６から搬送ローラ２３を経由した排出ローラ対２６に至るシート搬送経路中や、搬送ローラ２３からスイッチバックローラ対２７に至るシート搬送経路中、並びに、スイッチバックローラ対２７から搬送ローラ２３に至るスイッチバック用のシート搬送経路中に原稿Ｇが引っ掛かる等のジャムが発生した場合、搬送部１３のカバー４３等を開放状態とし、操作ダイヤル５１を正転操作することで搬送シートを取り除くことができる。
【００５３】
具体的には、図８に示すように、シート排出時の駆動側ローラ２８は時計回り方向が正転となる。
【００５４】
従って、図８において、操作ダイヤル５１を反時計回り方向に逆転させると、手動駆動ギヤ５２（逆転）、手動従動ギヤ５３及び手動従動ギヤ５４（正転）、駆動側ギヤ４７，回転軸４５，駆動側ギヤ４６（逆転）、従動側ギヤ４８（正転）、中間伝達ギヤ４９（逆転）、駆動側ギヤ５０（正転）の順に動力伝達され、スイッチバックローラ対２７と排出ローラ対２６とが原稿Ｇの排出方向に回転（正転）する。
【００５５】
同時に、図８において、操作ダイヤル５１を反時計回り方向に逆転させると、手動駆動ギヤ５２（逆転）、手動従動ギヤ５３及び手動従動ギヤ５４（正転）、駆動側ギヤ４７，回転軸４５（逆転）を経由し、図７において回転軸４５は時計回り方向（逆転）に回転する。
【００５６】
これにより、駆動プーリ４１，伝達ベルト４２，従動プーリ３６（逆転）、ワンウェイ機構部３５を経由して搬送ローラ２３が時計回り方向（図８では反時計回り方向）に正転する。
【００５７】
また、図８において、操作ダイヤル５１を時計回り方向に正転させると、手動駆動ギヤ５２（正転）、手動従動ギヤ５３及び手動従動ギヤ５４（逆転）、駆動側ギヤ４７，回転軸４５，駆動側ギヤ４６（正転）、従動側ギヤ４８（逆転）、中間伝達ギヤ４９（正転）、駆動側ギヤ５０（逆転）の順に動力伝達され、スイッチバックローラ対２７と排出ローラ対２６とが原稿Ｇの非排出方向に回転（逆転）する。
【００５８】
同時に、図８において、操作ダイヤル５１を時計回り方向に逆転させると、手動駆動ギヤ５２（正転）、手動従動ギヤ５３及び手動従動ギヤ５４（逆転）、駆動側ギヤ４７，回転軸４５（正転）を経由し、図７において回転軸４５は反時計回り方向に回転（正転）する。
【００５９】
これにより、駆動プーリ４１，伝達ベルト４２，従動プーリ３６（正転）を経由してワンウェイ機構部３５に動力伝達されるが、この駆動プーリ４１，伝達ベルト４２，従動プーリ３６の正転は搬送ローラ２３が反時計回り方向（図８では時計回り方向）に逆転しようとすることとなるため、この逆転の動力伝達は阻止される。
【００６０】
また、図８において、操作ダイヤル５１を時計回り方向に正転させると、手動駆動ギヤ５２（正転）、手動従動ギヤ５３及び手動従動ギヤ５４（逆転）、駆動側ギヤ４７，回転軸４５，駆動側ギヤ４６（正転）、従動側ギヤ４８（逆転）、中間伝達ギヤ４９（正転）、駆動側ギヤ５０（逆転）の順に動力伝達され、スイッチバックローラ対２７と排出ローラ対２６とが原稿Ｇの非排出方向に回転（逆転）する。
【００６１】
同時に、図８において、操作ダイヤル５１を時計回り方向に逆転させると、手動駆動ギヤ５２（正転）、手動従動ギヤ５３及び手動従動ギヤ５４（逆転）、駆動側ギヤ４７，回転軸４５（正転）を経由し、図７において回転軸４５は反時計回り方向に回転（正転）する。
【００６２】
これにより、駆動プーリ４１，伝達ベルト４２，従動プーリ３６（正転）を経由してワンウェイ機構部３５に動力伝達されるが、この駆動プーリ４１，伝達ベルト４２，従動プーリ３６の正転は搬送ローラ２３が反時計回り方向（図８では時計回り方向）に逆転しようとすることとなるため、この逆転の動力伝達は阻止される。
【００６３】
従って、操作ダイヤル５１，手動駆動ギヤ５２，手動従動ギヤ５３，手動従動ギヤ５４，駆動側ギヤ４７，回転軸４５，駆動側ギヤ４６，従動側ギヤ４８，中間伝達ギヤ４９，駆動側ギヤ５０，駆動プーリ４１，伝達ベルト４２，従動プーリ３６，ワンウェイ機構部３５は、その一部を電動伝達機構部として兼用する手動伝達機構部を構成している。
【００６４】
また、操作ダイヤル５１を手動回転させる際には、各モータ３２，３７は駆動停止しているため、ワンウェイ機構部３５は、搬送ローラ２３の逆転方向の動力伝達を拒否するのに加えて、回転軸４５を経由して動力伝達される従動プーリ３６の回転数は搬送モータ３２の駆動停止による従動ギヤ３４の回転数（＝無回転）よりも大きいため、従動プーリ３６の回転が従動ギヤ３４に伝達されることとなる。
【００６５】
尚、排出ローラ対２６は、上記実施の形態ではスイッチバックローラ対２７の駆動源（スイッチバックモータ３７）から動力伝達を受けるように構成したが、基本的には、排出ローラ２６は逆転する必要がない。
【００６６】
従って、図９に示すように、正転方向のみ回転する搬送ローラ２３に駆動プーリ５５等を設け、この駆動プーリ５５の回転を伝達ベルト５６を介して中間伝達ギヤ４９に動力伝達することによって、搬送ローラ２３と排出ローラ対２６とを正転のみで同期回転させても良い。
【００６７】
この際、搬送ローラ２３と排出ローラ対２６との間に減速ギヤ等を介装して回転数を制御することも可能である。
【００６８】
尚、このような構成としても、操作ダイヤル５１の手動正転操作時には、回転軸４５を介して複合機１の背面側で動力伝達系は確保されたままであるため、搬送ローラ２３と排出ローラ対２６とを手動によって正転させることは可能である。
【００６９】
これにより、操作ダイヤル５１を回転操作した際には、正転操作時には搬送ローラ２３、排出ローラ対２６、スイッチバックローラ対２７をシート搬送方向と同じ正転方向に連動して回転させ、逆転操作時にはスイッチバックローラ対２７のみを回転させることができる。
【００７０】
このように、本発明によれば、複数の駆動源（搬送ローラとスイッチバックローラ）を配置して複数のローラとしての搬送ローラ２３並びにスイッチバックローラ対２７の駆動側ローラ２９とを独立して駆動させるものでありながら、一つの操作ダイヤル５１の操作のみでジャム処理を行うことができる。
【００７１】
ところで、上記実施の形態では、本発明のシート搬送装置をＡＤＦ９に適用して説明したが、例えば、複合機１に配置された搬送経路に適用することができることは勿論である。
【図面の簡単な説明】
【００７２】
【図１】本発明の一実施形態に係るシート搬送装置を備えた自動原稿送り装置を搭載した画像形成装置の斜視図である。
【図２】本発明の一実施形態に係るシート搬送装置における搬送部の内部構造を示す正面側からの斜視図である。
【図３】本発明の一実施形態に係るシート搬送装置における搬送部の内部構造を示す背面側からの斜視図である。
【図４】本発明の一実施形態に係るシート搬送装置における搬送ローラ配置例の説明図である。
【図５】本発明の一実施形態に係るシート搬送装置における搬送部の搬送駆動系の平面図である。
【図６】本発明の一実施形態に係るシート搬送装置における搬送部の背面図である。
【図７】本発明の一実施形態に係るシート搬送装置の搬送駆動系の説明図である。
【図８】本発明の一実施形態に係るシート搬送装置の手動搬送系の説明図である。
【図９】本発明の一実施形態に係るシート搬送装置の他の手動搬送系の説明図である。
【符号の説明】
【００７３】
１…複合機（画像形成装置）
９…自動原稿送り装置（ＡＤＦ）
２３…搬送ローラ（第１の搬送ローラ）
２６…排出ローラ対（第３の搬送ローラ）
２７…スイッチバックローラ対（第２の搬送ローラ）
３２…搬送モータ
３５…ワンウェイ機構部
３７…スイッチバックモータ
５１…操作ダイヤル
【図１】
2008137747.tif 000003
【図２】
2008137747.tif 000004
【図３】
2008137747.tif 000005
【図４】
2008137747.tif 000006
【図５】
2008137747.tif 000007
【図６】
2008137747.tif 000008
【図７】
2008137747.tif 000009
【図８】
2008137747.tif 000010
【図９】
2008137747.tif 000011